(57)【特許請求の範囲】
【請求項１】
家屋の生活者に装着されて前記生活者の生体情報を測定する生体情報測定装置から受信したデータであって、前記生体情報が格納された測定データを受信する通信部と、
前記生体情報が格納された測定データに基づいて前記生活者の身体状態が、異常状態を含む２以上の状態の内の何れの状態であるかを判別する身体状態判別部と、
前記身体状態判別部が前記生活者の身体状態が前記異常状態であると判別した場合、前記家屋の玄関に設けられた電子錠を解錠する機器制御部と、を備える、コントローラ。
【請求項２】
前記生体情報測定装置の位置から前記生活者の居場所を判別する位置判別部を更に備え、
前記機器制御部は、前記身体状態判別部が前記生活者の身体状態が前記異常状態であると判別した場合、前記家屋における前記生活者の居場所に設置されている照明器を点滅又は通常と異なる色で照明させる、請求項１に記載のコントローラ。
【請求項３】
前記家屋に設けられ、前記生体情報測定装置と無線通信を行い、前記生体情報測定装置との前記無線通信における電界強度を測定して、前記生体情報測定装置から受信する生体情報と、前記電界強度の情報とを格納した測定データを前記コントローラに中継する中継器の設置位置に関する位置情報を記憶する記憶部を更に備え、
前記通信部は、前記生体情報測定装置から受信する生体情報と、前記電界強度の情報とが格納された測定データを前記中継器から受信し、
前記位置判別部は、前記測定データに格納されている前記電界強度の情報と、前記記憶部が記憶する前記中継器の位置情報とに基づいて、前記生体情報測定装置の位置を判別する、請求項２に記載のコントローラ。
【請求項４】
前記通信部は、前記生体情報測定装置が測定した生体情報と共に、前記生体情報測定装置が受信するＧＰＳ信号に基づいて算出された前記生体情報測定装置の位置情報が格納された測定データを前記生体情報測定装置から受信し、
前記位置判別部は、前記測定データに格納されている前記位置情報に基づいて前記生体情報測定装置の位置を判別する、請求項２に記載のコントローラ。
【請求項５】
前記身体状態判別部が前記生活者の身体状態が前記異常状態であると判別した場合、異常事態の発生を示す電子メールを予め登録された電子メールアドレスに送信する電子メール送信部を更に備える、請求項１に記載のコントローラ。
【請求項６】
前記身体状態判別部が前記生活者の身体状態が前記異常状態であると判別した場合、異常事態の発生を示す電子メールを予め登録された電子メールアドレスに送信する電子メール送信部を更に備える、請求項２から４の何れか１項に記載のコントローラ。
【請求項７】
前記電子メール送信部は、前記位置判別部が判別した前記生活者の居場所を示す情報を含む前記電子メールを送信する、請求項６に記載のコントローラ。
【請求項８】
前記電子メール送信部は、前記家屋の間取りを示す情報を含む前記電子メールを送信する、請求項７に記載のコントローラ。
【請求項９】
前記身体状態判別部が前記生活者の身体状態が前記異常状態であると判別した場合、
前記機器制御部は、前記生活者の現在の居場所に設置されている温度センサから測定値を取得し、
前記電子メール送信部は、前記機器制御部が取得した前記温度センサの測定値を示す情報を含む前記電子メールを送信する、請求項６から８の何れか１項に記載のコントローラ。
【請求項１０】
前記電子メール送信部は、前記生活者の生体情報の履歴を含む前記電子メールを送信する、請求項５から９の何れか１項に記載のコントローラ。
【請求項１１】
家屋の生活者に装着されて前記生活者の生体情報を測定する測定部と、
前記生体情報が格納された測定データに基づいて前記生活者の身体状態が異常状態を含む２以上の状態の内の何れの状態であるかを判別する身体状態判別部と、
前記身体状態判別部が前記生活者の身体状態が異常状態であると判別した場合、前記家屋の玄関に設けられた電子錠を解錠する機器制御部と、を備える、機器制御システム。
【請求項１２】
コンピュータを、
家屋の生活者に装着されて前記生活者の生体情報を測定する生体情報測定装置から受信したデータであって、前記生体情報が格納された測定データに基づいて前記生活者の身体状態が異常状態を含む２以上の状態の内の何れの状態であるかを判別する身体状態判別部、
前記身体状態判別部が前記生活者の身体状態が前記異常状態であると判別した場合、前記家屋の玄関に設けられた電子錠を解錠する機器制御部、として機能させる、プログラム。
【発明の詳細な説明】
【技術分野】
【０００１】
本発明は、生活者の生体情報に基づいて宅内に設置された電気機器の制御を行う技術に関する。
【背景技術】
【０００２】
近年、情報通信技術の発達と、省エネ志向の高まりから、一般家庭において、いわゆるＨＥＭＳ（Home Energy Management System）等、エネルギー管理システムの導入が進展している。
【０００３】
かかるエネルギー管理システムでは、一般的に、宅内の電気機器の稼働状況の監視を行い、消費電力量が規定値を超えそうな場合、警告画面を表示してユーザに報知したり、あるいは、自動的に電気機器の稼働率を低下させる等の制御を行う。
【０００４】
この他にも、部屋内の人の位置等に基づいて外光の入射量を調整して、電力消費を抑制しつつ照明を行う技術（例えば、特許文献１）や、あるいは、入力された予定により住人の在・不在を判断し、その判断結果に従って蓄電池の充電や家電機器等の制御を行う技術（例えば、特許文献２）等が提案されている。
【０００５】
ところで、情報通信技術の発達は、健康管理器具の高度化ももたらしており、例えば、通信機能を備えた人体装着型の活動量計（例えば、特許文献３）等も知られている。
【０００６】
ユーザは、このような活動量計による計測結果や、この計測結果に基づく健康管理上のアドバイス等をスマートフォン等の情報通信端末を介して確認することができる。
【先行技術文献】
【特許文献】
【０００７】
【特許文献１】特開２０１３−８７４６７号公報
【特許文献２】特開２０１３−２０４８８号公報
【特許文献３】実用新案登録第３１８７０２６号公報
【発明の概要】
【発明が解決しようとする課題】
【０００８】
上記のように、従来、ユーザの生体情報を健康管理面で役立てるための技術については種々の提案があるものの、ユーザ等の生活者の生体情報を宅内の電気機器の制御に活用する技術については未だ有用な提案がなされていないのが実情である。
【０００９】
本発明は、上記実情に鑑みてなされたものであり、生活者の生体情報に基づいて宅内に設置された電気機器の制御を行う機器制御システム等を提供することを目的とする。
【課題を解決するための手段】
【００１０】
上記目的を達成するため、本発明に係るコントローラは、
家屋の生活者に装着されて前記生活者の生体情報を測定する生体情報測定装置から受信したデータであって、前記生体情報が格納された測定データを受信する通信部と、
前記生体情報が格納された測定データに基づいて前記生活者の身体状態が異常状態を含む２以上の状態の内の何れの状態であるかを判別する身体状態判別部と、
前記身体状態判別部が前記生活者の身体状態が前記異常状態であると判別した場合、前記家屋の玄関に設けられた電子錠を解錠する機器制御部と、を備える。
【発明の効果】
【００１１】
本発明によれば、測定された生活者の生体情報から生活者の身体状態を判別し、判別した身体状態に基づいて宅内に設置された電気機器の制御を行うため、生活者の利便性が向上し、また、快適性を損なうことなく省エネ化が図れる。
【図面の簡単な説明】
【００１２】
【図１】本発明の実施形態１に係る機器制御システムの全体構成を示す図である。
【図２】実施形態１における各機器の配置を模式的に示した図である。
【図３】実施形態１のエネルギー管理コントローラの構成を示すブロック図である。
【図４】実施形態１の測定装置の構成を示すブロック図である。
【図５】実施形態１のエネルギー管理コントローラが備える制御部の機能構成を示す図である。
【図６】実施形態１の機器制御処理の手順を示すフローチャートである。
【図７】本発明の実施形態２に係る機器制御システムの全体構成を示す図である。
【図８】実施形態２における各機器の配置を模式的に示した図である。
【図９】実施形態２の中継器の構成を示すブロック図である。
【図１０】実施形態２のエネルギー管理コントローラが備える制御部の機能構成を示す図である。
【図１１】実施形態３のエネルギー管理コントローラが備える制御部の機能構成を示す図である。
【発明を実施するための形態】
【００１３】
以下、本発明の実施形態について図面を参照して詳細に説明する。
【００１４】
（実施形態１）
図１は、本発明の実施形態１に係る機器制御システムの全体構成を示す図である。この機器制御システムは、一般家庭で使用される電気機器の動作を管理するシステムであり、エネルギー管理コントローラ１０と、測定装置２０と、機器３０〜３５と、ルータ４０と、を備える。
【００１５】
機器３０〜３５は、例えば、照明器、エアコン、冷蔵庫、ＩＨクッキングヒータ、炊飯器、電子レンジ、床暖房システム等の家屋Ｈ内（宅内）に設置される電気機器である。本実施形態では、機器３０はデジタルテレビ、機器３１は照明器、機器３２はエアコン、機器３３は温度センサ、機器３４はＩＨクッキングヒータ、機器３５は電子錠である。
【００１６】
図２に示すように、機器３０には、機器３０Ａ，３０Ｂがあり、機器３１には、機器３１Ａ，３１Ｂ，３１Ｃがあり、機器３２には、機器３２Ａ，３２Ｂがあり、機器３３には、機器３３Ａ，３３Ｂがある。機器３０Ａ、機器３１Ａ、機器３２Ａ及び機器３３Ａは、部屋１に設置されており、機器３０Ｂ、機器３１Ｃ、機器３２Ｂ、機器３３Ｂ及び機器３４は、部屋２に設置されている。機器３１Ｂは、廊下に設置されており、機器３５は、玄関のドアに設置されている。
【００１７】
機器３１Ａ〜３１Ｃ、機器３２Ａ，３２Ｂ、機器３３Ａ，３３Ｂ、機器３４及び機器３５のそれぞれは、宅内に構築された無線ネットワーク（図示せず）を介して、エネルギー管理コントローラ１０と通信可能に接続される。この無線ネットワークは、例えば、エコーネットライト（ＥＣＨＯＮＥＴ  Ｌｉｔｅ）に準じたネットワークである。
【００１８】
また、機器３０Ａ，３０Ｂのそれぞれは、ルータ４０とＬＡＮ（Local Area Network）ケーブルを介して通信可能に接続されている。ルータ４０は、ブロードバンドルータであり、エネルギー管理コントローラ１０とＬＡＮケーブルを介して通信可能に接続されている。
【００１９】
エネルギー管理コントローラ１０は、宅内の適切な場所に設置され、宅内の消費電力量の監視、機器３０〜３５の動作制御や動作状態の監視等を行う。エネルギー管理コントローラ１０は、図３に示すように、インターネット等の広域ネットワークＮに接続するための広域通信インタフェース１１と、無線通信を行うための無線通信インタフェース１２と、プログラムやデータを保持するためのデータ記憶部１３と、これらを制御する制御部１４と、を備える。これらの各構成部は、バス１５を介して相互に接続される。
【００２０】
広域通信インタフェース１１は、ルータ４０と接続し、広域ネットワークＮに接続して、他の装置宛てに電子メールの送信等を行う。無線通信インタフェース１２は、宅内に構築された上述の無線ネットワークに接続し、制御部１４の制御の下、機器３１〜３５、測定装置２０と無線データ通信を行う。
【００２１】
データ記憶部１３は、例えば、フラッシュメモリ等の読み書き可能な不揮発性の半導体メモリ等で構成される。データ記憶部１３は、図示しないが、宅内の消費電力量を監視するためのプログラムや機器３０〜３５の動作制御や動作状態の監視を行うためのプログラムを含む各種のプログラムと、各プログラムの実行時に使用されるデータ等を記憶する。
【００２２】
制御部１４は、ＣＰＵ（Central Processing Unit）、ＲＯＭ（Read Only Memory）、ＲＡＭ（Random Access Memory）等（何れも図示せず）を含んで構成され、エネルギー管理コントローラ１０を統括制御する。制御部１４における本発明特有の機能については後述する。
【００２３】
図１，２に示す測定装置２０は、この家屋Ｈのユーザ（生活者）の生体情報を測定する人体装着型（例えば、リストバンド型）の装置である。ここで生体情報とは、例えば、心拍数、血圧、体温等、いわゆるバイタルサインと称される情報である。測定装置２０は、図４に示すように、生体情報を検出する生体情報センサ２１と、無線通信を行うための無線通信インタフェース２２と、プログラムやデータを保持するためのデータ記憶部２３と、これらを制御する制御部２４と、を備える。これらの各構成部は、バス２５を介して相互に接続される。また、測定装置２０は、各構成部に電力を供給する一次電池や二次電池等の電池２６を備える。
【００２４】
生体情報センサ２１は、生活者の生体情報（例えば、心拍数、血圧、体温等）を測定し、測定した結果を制御部２４に出力する。無線通信インタフェース２２は、宅内に構築された上述の無線ネットワークに接続し、制御部２４の制御の下、エネルギー管理コントローラ１０と無線データ通信を行う。
【００２５】
データ記憶部２３は、例えば、フラッシュメモリ等の読み書き可能な不揮発性の半導体メモリ等で構成される。データ記憶部２３は、図示しないが、生体情報の測定に関するプログラムやエネルギー管理コントローラ１０と通信するためのプログラム等と、各プログラムの実行時に使用されるデータ等を記憶する。
【００２６】
制御部２４は、ＣＰＵ、ＲＯＭ、ＲＡＭ等（何れも図示せず）を含んで構成され、測定装置２０を統括制御する。制御部２４は、一定時間毎に、生体情報センサ２１により測定された結果を格納したデータ（測定データ）を生成して、無線通信インタフェース２２を介してエネルギー管理コントローラ１０宛てに無線送信する。
【００２７】
図５に示すように、エネルギー管理コントローラ１０の制御部１４は、本発明特有の機能として、身体状態判別部１４０と、制御モード設定部１４１と、機器制御部１４２と、電子メール送信部１４３と、を備える。これらの構成部の機能は、ＣＰＵ等が、データ記憶部１３に記憶されている機器制御用のプログラムを実行することで実現される。
【００２８】
身体状態判別部１４０は、無線通信インタフェース１２により受信された、測定装置２０からの測定データに基づいて生活者の身体状態を判別する。具体的には、身体状態判別部１４０は、測定データから抽出した生体情報（例えば、心拍数）から、生活者の身体状態が、「通常状態」、「睡眠状態」及び「異常状態」の内の何れの状態であるかを判別する。身体状態判別部１４０は、生体情報の内容と、上記の各状態とを対応付けた情報（予め定められ、データ記憶部１３に記憶されている。）に従って判別する。
【００２９】
制御モード設定部１４１は、身体状態判別部１４０の判別結果に基づいて、制御モードの設定を行う。具体的には、制御モード設定部１４１は、制御モードを、身体状態判別部１４０により生活者の身体状態が「通常状態」と判別された場合は「通常モード」に、「睡眠状態」と判別された場合は「睡眠モード」に、「異常状態」と判別された場合は「異常モード」に設定する。
【００３０】
機器制御部１４２は、制御モード設定部１４１により設定された制御モードに従って、機器３０〜３２，３４，３５の動作制御を行う。電子メール送信部１４３は、制御モード設定部１４１により制御モードが「異常モード」に設定された場合、予め登録されている電子メールアドレスを参照して、当該生活者に異常が発生している旨を示す電子メールを広域通信インタフェース１１を介して、他の装置に送信する。この場合、生活者の住所、氏名、年齢、性別を示す情報（生活者情報）が電子メールの本文に記述され、あるいは、電子メールに添付される。なお、登録済みの電子メールアドレスや生活者情報は、生活者等によって、データ記憶部１３に予め格納されている。
【００３１】
図６は、エネルギー管理コントローラ１０の制御部１４によって実行される機器制御処理の手順を示すフローチャートである。
【００３２】
測定装置２０からの測定データが無線通信インタフェース１２により受信されると（ステップＳ１０１；ＹＥＳ）、身体状態判別部１４０は、受信した測定データから抽出した生体情報（例えば、心拍数、血圧、体温等）に基づいて、生活者の身体状態（「通常状態」、「睡眠状態」又は「異常状態」）を判別する（ステップＳ１０２）。
【００３３】
制御モード設定部１４１は、身体状態判別部１４０の判別結果に基づいて、制御モードを「通常モード」、「睡眠モード」及び「異常状態」の内の何れかに設定する（ステップＳ１０３）。機器制御部１４２は、設定された制御モードに従って機器３０〜３２，３４，３５の動作制御を行う（ステップＳ１０４）。例えば、制御モードが「通常モード」に設定された場合、機器制御部１４２は、機器３３Ａ，３３Ｂ（温度センサ）により測定された各部屋の室内温度に応じて、機器３２Ａ，３２Ｂ（エアコン）の運転内容（設定温度、風量等）を調整する。
【００３４】
制御モードが「睡眠モード」に設定された場合、機器制御部１４２は、寝室（例えば、部屋１）以外の場所に設置されている機器３２（即ち、機器３２Ｂ）の運転を停止する。また、全ての機器３１（即ち、機器３１Ａ〜３１Ｃ）の照明を停止（消灯）あるいは照度を下げる。また、機器３４（ＩＨクッキングヒータ）の運転を停止すると共に、機器３５（玄関ドアに設けられた電子錠）を施錠する。
【００３５】
制御モードが「異常モード」に設定された場合、機器制御部１４２は、機器３５（玄関ドアに設けられた電子錠）を解錠する。これにより、外部から家屋Ｈに立ち入ることが容易となり、救護者による救護活動の迅速化が図れる。また、生体情報に生活者の体温が含まれている場合であって、生活者の体温が予め定めた上限温度を超えている場合、機器制御部１４２は、機器３２Ａ，３２Ｂ（エアコン）を冷房運転する等して室内温度を低下させる。これとは逆に、生活者の体温が予め定めた下限温度に達していない場合は、機器制御部１４２は、機器３２Ａ，３２Ｂを暖房運転する等して室内温度を上昇させる。
【００３６】
電子メール送信部１４３は、制御モードが「異常モード」の場合（ステップＳ１０５；ＹＥＳ）、予め登録されている電子メールアドレスを参照して、異常の発生を通知するための電子メールを広域通信インタフェース１１を介して他の装置に送信する（ステップＳ１０６）。この場合、電子メール送信部１４３は、予め定めた時間分の生体情報の履歴を電子メールの本文に記述し、あるいは、電子メールに添付して送信してもよい。このようにすれば、当該電子メールの受信者が、生活者の身体状態の詳細を把握することができ、救護活動等に役立てることができる。
【００３７】
以上説明したように、本発明の実施形態１に係る機器制御システムでは、生活者の生体情報を測定し、測定した生体情報に基づいて生活者の身体状態を判別する。そして、判別した身体状態に基づいて宅内に設置されている機器３０〜３２，３４，３５の動作を制御する。これにより、例えば、運転中の機器の停止し忘れや、玄関ドアの施錠し忘れ等を防止できる。したがって、生活者の利便性、防犯性、防災性が向上し、また、快適性を損なうことなく省エネ化が図れる。
【００３８】
また、本発明の実施形態１に係る機器制御システムでは、生活者の身体状態に異常が発生した場合には、その異常の内容に応じた空調を行ったり、救護者の立ち入りを容易にする等、救護支援となるような機器制御を行うことができる。加えて、異常が発生した旨を関係者に直ちに報知することができる。したがって、生活者の安全性も確保できる。
【００３９】
（実施形態２）
続いて、本発明の実施形態２に係る機器制御システムについて説明する。なお、以下の説明において、実施形態１と共通する構成要素等については、同一の符号を付し、その説明を省略する。
【００４０】
図７は、実施形態２の機器制御システムの全体構成を示す図である。実施形態２の機器制御システムでは、実施形態１の機器制御システムの構成に中継器５０が新たに追加されている。中継器５０は、宅内に分散して設置され、測定装置２０とエネルギー管理コントローラ１０間における測定データの中継を行う。
【００４１】
図８に示すように、中継器５０には、中継器５０Ａ，５０Ｂ，５０Ｃがあり、中継器５０Ａは、部屋１に設置され、中継器５０Ｂは、廊下に設置され、中継器５０Ｃは、部屋２に設置されている。各中継器５０は、図９に示すように、無線通信を行うための無線通信インタフェース５１と、プログラムやデータを保持するためのデータ記憶部５２と、電界強度を測定するための電界強度測定部５３と、これらを制御する制御部５４と、を備える。これらの各構成部は、バス５５を介して相互に接続される。
【００４２】
無線通信インタフェース５１は、宅内に構築された上述の無線ネットワークに接続し、制御部５４の制御の下、測定装置２０、エネルギー管理コントローラ１０と無線データ通信を行う。
【００４３】
データ記憶部５２は、例えば、フラッシュメモリ等の読み書き可能な不揮発性の半導体メモリ等で構成される。データ記憶部５２は、図示しないが、測定データの中継に関するプログラムや該プログラムの実行時に使用されるデータ等を記憶する。
【００４４】
電界強度測定部５３は、測定装置２０からの測定データ受信時における電界強度を計測する。制御部５４は、ＣＰＵ、ＲＯＭ、ＲＡＭ等（何れも図示せず）を含んで構成され、中継器５０を統括制御する。制御部５４は、測定装置２０からの測定データを受信した際、電界強度測定部５３により測定された電界強度を当該測定データに格納する。そして、制御部５４は、電界強度を格納した測定データを無線通信インタフェース５１を介してエネルギー管理コントローラ１０宛てに無線送信する。
【００４５】
続いて、本実施形態のエネルギー管理コントローラ１０の動作について説明する。本実施形態のエネルギー管理コントローラ１０の構成は、実施形態１のエネルギー管理コントローラ１０の構成（図３参照）と同様である。但し、本実施形態のエネルギー管理コントローラ１０が備える制御部１４の機能構成は、実施形態１の制御部１４の機能構成と相違する。図１０に示すように、本実施形態の制御部１４は、身体状態判別部１４０と、制御モード設定部１４１と、機器制御部１４２Ａと、電子メール送信部１４３Ａと、位置判別部１４４と、を備える。
【００４６】
位置判別部１４４は、各中継器５０から送られてくる測定データに基づいて、測定装置２０の位置（換言すると、生活者の居場所）を判別する。具体的には、位置判別部１４４は、各中継器５０からの測定データに含まれる電界強度を比較して、最も大きい電界強度を判別し、判別した電界強度を測定した中継器５０を判別する。位置判別部１４４は、判別した中継器５０の設置場所を生活者の現在の居場所として決定する。なお、各中継器５０の設置場所に関する情報は、データ記憶部１３に予め格納されている。
【００４７】
例えば、図８に示すように、生活者が部屋２に居る場合、中継器５０Ｃにより測定される電界強度が、他の中継器５０（中継器５０Ａ，５０Ｂ）により測定される電界強度よりも大きくなる。この場合、位置判別部１４４は、生活者の現在の居場所が部屋２であると判別する。
【００４８】
機器制御部１４２Ａは、実施形態１の機器制御部１４２と同様、制御モード設定部１４１により設定された制御モードに従って、機器３０〜３２，３４，３５の動作制御を行う。更に、機器制御部１４２Ａは、位置判別部１４４により判別された生活者の現在の居場所に応じた制御も行う。具体的には、制御モードが「通常モード」の場合、宅内における生活者の現在の居場所以外の場所に設置されている機器の運転を停止したり、あるいは、運転能力を低下させる。
【００４９】
例えば、制御モードが「通常モード」の場合に、図８に示すように、生活者が部屋２に居る場合、機器制御部１４２Ａは、部屋２以外の場所に設置されている機器３０（即ち、機器３０Ａ）及び機器３２（即ち、機器３２Ａ）の運転を停止する。また、部屋２以外の場所に設置されている機器３１（即ち、機器３１Ａ，３１Ｂ）の照明を停止（消灯）あるいは照度を下げる。
【００５０】
また、制御モードが「睡眠モード」の場合、機器制御部１４２Ａは、実施形態１の場合と同様の制御を行うが、その際、生活者の現在の居場所を寝室であると判別する。
【００５１】
また、制御モードが「異常モード」の場合、機器制御部１４２Ａは、実施形態１の場合と同様の制御を行うが、更に、生活者の現在の居場所に設置されている機器３１（照明器）を点滅や明滅動作させる。これにより、救護者は、生活者を発見し易くなり、救護活動の迅速化がより図れる。なお、機器３１がＬＥＤを備える照明器の場合では、生活者の現在の居場所に設置されている機器３１を通常時の照明とは異なる色（例えば、オレンジ等）で照明させるようにしてもよい。
【００５２】
制御モードが「異常モード」の場合、更に、機器制御部１４２Ａは、生活者の現在の居場所に設置されている機器３３（温度センサ）から測定値を取得し、取得した測定値を電子メール送信部１４３Ａに通知する。
【００５３】
電子メール送信部１４３Ａは、位置判別部１４４により判別された生活者の現在の居場所及び機器制御部１４２Ａから通知された機器３３の測定値を示す情報を、上述した電子メールの本文に記述し、あるいは、電子メールに添付する。これにより、当該電子メールの受信者は、生活者の居場所及びその居場所の環境状態を把握でき、救護活動等に役立てることができる。
【００５４】
以上説明したように、本発明の実施形態２に係る機器制御システムでは、生活者の現在の居場所を判別するため、より的確な機器制御が実現でき、結果として、生活者の利便性がより向上し、また、快適性を損なうことなく省エネ化がより図れる。
【００５５】
また、救護活動がよりし易くなり、生活者の安全性がより向上する。
【００５６】
（実施形態３）
続いて、本発明の実施形態３に係る機器制御システムについて説明する。なお、以下の説明において、実施形態１，２と共通する構成要素等については、同一の符号を付し、その説明を省略する。
【００５７】
実施形態３の機器制御システムの構成は、実施形態２の機器制御システムの構成と同様である（図７，８参照）。即ち、本実施形態の機器制御システムにおいても、各中継器５０は、測定装置２０からの測定データを受信した際、電界強度を測定し、測定した電界強度を当該測定データに格納する。そして、各中継器５０は、電界強度を格納した測定データをエネルギー管理コントローラ１０宛てに無線送信する。
【００５８】
図１１に示すように、本実施形態のエネルギー管理コントローラ１０が備える制御部１４は、身体状態判別部１４０と、制御モード設定部１４１と、機器制御部１４２Ｂと、電子メール送信部１４３Ａと、位置判別部１４４と、位置変化判別部１４５と、を備える。
【００５９】
位置変化判別部１４５は、位置判別部１４４により今回判別された測定装置２０の位置（即ち、生活者の現在の居場所）が、前回判別された測定装置２０の位置から変化したか否かを判別する。変化したと判別した場合、位置変化判別部１４５は、その旨を機器制御部１４２Ｂに通知する。なお、位置判別部１４４により前回判別された測定装置２０の位置を示す情報は、ＲＡＭ又はデータ記憶部１３に保存されている。
【００６０】
機器制御部１４２Ｂは、実施形態２の機器制御部１４２Ａと同様、制御モード設定部１４１により設定された制御モードに従って、機器３０〜３２，３４，３５の動作制御を行うと共に位置判別部１４４により判別された生活者の現在の居場所に応じた制御を行う。更に、機器制御部１４２Ｂは、制御モードが「通常モード」の場合に、位置変化判別部１４５により上記の通知を受けると、生活者による居場所の移動に応じた制御も行う。具体的には、生活者の移動後の居場所に設置されている機器の運転を開始したり、あるいは、運転能力を上昇させる。
【００６１】
例えば、生活者の移動前の居場所が部屋２であり、移動後の居場所が廊下である場合、機器制御部１４２Ｂは、廊下に設置されている機器３１Ｂ（照明器）を点灯させ、あるいは、機器３１Ｂの照度を上げる。なお、生活者の移動前の居場所である部屋２（即ち、現在の居場所以外の場所）に設置されている機器については、実施形態２の場合と同様、運転を停止したり、あるいは、運転能力を低下させる。
【００６２】
また、例えば、生活者の移動前の居場所が廊下であり、移動後の居場所が部屋１である場合、機器制御部１４２Ｂは、部屋１に設置されている機器３１Ａ（照明器）を点灯させ、あるいは、機器３１Ａの照度を上げる。また、機器３２Ａ（エアコン）の運転を開始する。
【００６３】
以上説明したように、本発明の実施形態３に係る機器制御システムでは、生活者の居場所の変化有無（移動有無）を判別し、変化があった場合には、移動後の場所に設置されているエアコンの運転を開始したり、照明器の点灯等を行う。したがって、生活者の利便性がより向上する。
【００６４】
なお、本発明は、上記各実施形態に限定されず、本発明の要旨を逸脱しない範囲での種々の変更は勿論可能である。
【００６５】
例えば、生活者に異常が発生した場合、電子メール送信部１４３，１４３Ａは、当該家屋Ｈの間取りを示す情報（間取情報）を電子メールの本文に記述し、あるいは、電子メールに添付してもよい。
【００６６】
また、実施形態２，３では、エネルギー管理コントローラ１０は、各中継器５０から送られてくる電界強度が格納された測定データに基づいて、測定装置２０の位置（生活者の居場所）を判別していたが、生活者の居場所の判別手法に限定はない。例えば、測定装置２０が、ＧＰＳ（Global Positioning System）信号を受信し、受信したＧＰＳ信号に基づいて位置情報を算出するＧＰＳ受信部を備え、測定した生体情報と共に、算出した位置情報を格納した測定データを送信するようにしてもよい。この場合、エネルギー管理コントローラ１０は、受信した測定データに格納されている位置情報に基づいて測定装置２０の位置（生活者の居場所）を判別することができる。
【００６７】
また、家屋Ｈの生活者が複数居る場合では、上述した生活者の身体状態に基づく制御対象となる機器を、測定装置２０を装着した生活者の現在の居場所に設置された機器のみとなるように制限してもよい。
【００６８】
また、測定装置２０が複数あり、各測定装置２０がそれぞれ異なる生活者に装着されて使用されるようにしてもよい。この場合、各測定装置２は、送信する測定データに、装置ＩＤ等の自装置を識別する情報を格納する。また、エネルギー管理コントローラ１０は、この装置ＩＤ等と、生活者を識別する情報とを対応付けた情報を保持する。このように機器制御システムを構成した場合、エネルギー管理コントローラ１０は、身体状態が「睡眠状態」以外の生活者が居る場所においては、上述したような機器３２の運転を停止する等の省エネ制御を回避してもよい。また、エネルギー管理コントローラ１０は、全ての生活者の身体状態が「睡眠状態」であることを条件として、機器３５（玄関ドアに設けられた電子錠）を施錠してもよい。
【００６９】
また、測定装置２０が測定データを送信するタイミングは任意の設計事項である。例えば、測定装置２０は、エネルギー管理コントローラ１０からの送信要求に応答して、測定データを送信してもよい。
【００７０】
また、上記各実施形態において、エネルギー管理コントローラ１０によって実行されるプログラムは、ＣＤ−ＲＯＭ（Compact Disc Read Only Memory）、ＤＶＤ（Digital Versatile Disc）、ＭＯ（Magneto-Optical Disk）、ＵＳＢメモリ、メモリカード等のコンピュータ読み取り可能な記録媒体に格納して配布することも可能である。そして、かかるプログラムを特定の又は汎用のコンピュータにインストールすることによって、当該コンピュータをエネルギー管理コントローラ１０として機能させることも可能である。
【００７１】
また、上記のプログラムをインターネット等の通信ネットワーク上のサーバ装置が有するディスク装置等に格納しておき、例えば、搬送波に重畳させて、コンピュータにダウンロード等するようにしてもよい。
【符号の説明】
【００７２】
１０  エネルギー管理コントローラ、１１  広域通信インタフェース、１２，２２，５１  無線通信インタフェース、１３，２３，５２  データ記憶部、１４，２４，５４  制御部、１５，２５，５５  バス、２０  測定装置、２１  生体情報センサ、３０〜３５  機器、４０  ルータ、５０  中継器、５３  電界強度測定部、１４０  身体状態判別部、１４１  制御モード設定部、１４２，１４２Ａ，１４２Ｂ  機器制御部、１４３，１４３Ａ  電子メール送信部、１４４  位置判別部、１４５  位置変化判別部
【図１】
0006388499.tif 000002
【図２】
0006388499.tif 000003
【図３】
0006388499.tif 000004
【図４】
0006388499.tif 000005
【図５】
0006388499.tif 000006
【図６】
0006388499.tif 000007
【図７】
0006388499.tif 000008
【図８】
0006388499.tif 000009
【図９】
0006388499.tif 000010
【図１０】
0006388499.tif 000011
【図１１】
0006388499.tif 000012